(57)【要約】【課題】屋根上設置物の荷重に対する十分な強度を有し、かつ設置作業の際の位置調整を容易に行えるとともに、雨水等の屋根構造体への浸入を防ぐことが可能な支持瓦の提供を課題とする。【解決手段】屋根上設置物の支持装置１は、屋根構造体の屋根面に固定された固定板５と、屋根面の屋根傾斜方向及び屋根傾斜方向と直交する屋根幅方向に取付位置を調整可能に固定板５に取付けられ、太陽電池モジュールと連結し支持する支持部２と、支持部２の一部を挿通する切欠挿通孔１０を備え、支持部２の上方から被設された瓦本体９と、支持部２及び固定板５を締結固定する締結ボルト６と、固定板５及び支持部２の間に介在させるスペーサ部材３１とを主に具備する。【選択図】図２
2013147896.tif 000002
【特許請求の範囲】
【請求項１】
屋根面の屋根傾斜方向及び前記屋根傾斜方向と直交する屋根幅方向の取付位置を調整可能に取付けられ、屋根上設置物と連結され、前記屋根面から所定の高さに支持する支持部と、
前記支持部と別体として構成され、前記支持部の一部を挿通させる挿通孔を有し前記支持部の上方から被設される瓦本体と
を具備することを特徴とする屋根上設置物の支持装置。
【請求項２】
前記支持部は、
長手方向が前記屋根幅方向に一致する長孔状のボルト取付孔を有する取付板を備えることを特徴とする請求項１に記載の屋根上設置物の支持装置。
【請求項３】
前記支持部は、
平板状の支持基板と、
前記支持基板から上方に向かって垂設され、前記屋根上設置物と連結する連結部と、
前記支持基板の基板周縁に沿って前記屋根傾斜方向の棟側及び前記屋根幅方向の側方の周縁に沿って立設された立壁片と、
前記支持基板の前記屋根傾斜方向の軒側片に開口した排水開口部と
をさらに具備することを特徴とする請求項１または請求項２に記載の屋根上設置物の支持装置。
【請求項４】
前記挿通孔は、
瓦本体前端から本体中央に向かって切欠かれた切欠挿通孔、または本体中央に貫設された貫設挿通孔のいずれかであることを特徴とする請求項１乃至請求項３のいずれか一つに記載の屋根上設置物の支持装置。
【請求項５】
ボルト挿通孔を有し、前記支持部の前記取付板の下方に設置されるスペーサ部材をさらに具備することを特徴とする請求項２乃至請求項４のいずれか一つに記載の屋根上設置物の支持装置。
【発明の詳細な説明】
【技術分野】
【０００１】
本発明は、屋根上設置物の支持装置に関するものであり、特に、屋根上に設置される太陽電池モジュール等の屋根上設置物を固定し支持するための屋根上設置物の支持装置に関するものである。
【背景技術】
【０００２】
従来、建築物の屋根上に太陽光発電のための太陽電池モジュールや、太陽光を利用して水を温める太陽熱温水器等の屋根上設置物を設置することが行われている。このとき、屋根上設置物を屋根上に設置するための構成として、所謂「支持瓦」が用いられている。支持瓦は、通常の陶器製の瓦と略同一形状に形成された瓦本体と、当該瓦本体の中央付近の瓦表面から上方に向かって垂設され、屋根上設置物の一部（例えば、太陽電池モジュールのフレーム等）と連結され、屋根面から所定の高さを保持して支持する支持部とを主に具備し、瓦本体及び支持部が一体的に構成されている。ここで、支持瓦は、比較的重量物である屋根上設置物を固定し支持するため、屋根上設置物から受ける荷重に対して抗することの可能な十分な強度を備える必要がある。そのため、支持瓦の瓦本体及び支持部は、金属材料を利用して構成されている。
【発明の概要】
【発明が解決しようとする課題】
【０００３】
ここで、上述した屋根上設置物を固定し支持するための支持瓦（屋根上設置物の支持装置に相当）は、屋根構造体に葺き上げられた通常の複数の陶器製の瓦の一部と置換することによって設置されていた。このとき、通常の瓦を取外し、支持瓦を設置する位置は、設置対象の屋根上設置物のサイズや大きさ等に応じて予め決定されていた。しかしながら、瓦本体及び支持部は一体的に構築されたものであり、支持瓦の支持部に設けられ屋根上設置物の一部と連結される連結部等の位置合わせを行うことは非常に困難であり、正しい位置に支持瓦及び屋根上設置物に合わせる調整作業に時間を要することがあった。すなわち、支持瓦は前後及び左右を通常の瓦に囲まれた状態にあり、支持瓦の支持部（特に、連結部）の位置を前後左右に自在に移動可能な機能を有するものではなかった。
【０００４】
ここで、連結部と屋根上設置物とを連結する場合、上下方向（傾斜した屋根面において軒側及び棟側を結んだ方向）、及び屋根幅方向（上記上下方向に直交する方向）の四方向に対して連結部の位置調整を行う必要があった。しかしながら、前述のように、支持瓦自体が支持部及び瓦本体が一体的に形成されているため、係る連結部での位置調整が容易ではなかった。そのため、瓦本体及び支持部を別体として構成し、支持部の連結部による位置調整を容易にするものが求められていた。一方、通常の瓦及び支持瓦には、屋根構造体及び屋根面を保護する機能とともに、瓦本体の瓦表面上を伝わって流れる雨水等を軒側まで導き、屋根構造体等が雨水に直接濡れることを防ぐための機能を有していた。したがって、瓦本体及び支持部を別体で構成した場合であっても、雨水等の浸入を防ぐ機能を設ける必要があった。
【０００５】
そこで、本発明は、上記実情に鑑み、屋根上設置物の荷重に対する十分な強度を有し、かつ設置作業の際の位置調整を容易に行えるとともに、雨水等の屋根構造体への浸入を防ぐことが可能な屋根上設置物の支持装置の提供を課題とするものである。
【課題を解決するための手段】
【０００６】
上記課題を解決するため、本発明の屋根上設置物の支持装置は、「屋根面の屋根傾斜方向及び前記屋根傾斜方向と直交する屋根幅方向の取付位置を調整可能に取付けられ、屋根上設置物と連結され、前記屋根面から所定の高さに支持する支持部と、前記支持部と別体として構成され、前記支持部の一部を挿通させる挿通孔を有し前記支持部の上方から被設される瓦本体と」を具備して主に構成されている。
【０００７】
ここで、屋根構造体とは、屋根上設置物が設置される建築物の屋根部分に相当する部材であり、例えば、屋根材を支持する「垂木」、「野地板」、「垂木上に架設された横桟」、及び「母屋」等の建築構造部材を総称するものである。すなわち、本発明の屋根上設置物の支持装置は、建築構造部材のいずれかに設置されるものであればよい。ここで、屋根構造体には、複数の瓦（陶器製、コンクリート製、カラーベスト等）が互いに一部同士を重ね合わせるようにして葺き上げられており、本発明の屋根上設置物の支持装置はその一部を置換して設置されている。また、屋根上設置物とは、太陽電池モジュールや太陽熱温水器等の屋根面の上に所定高さに設置される構造物・設備である。
【０００８】
また、支持部は屋根構造体に直接固定されるものであっても或いは、屋根構造体の上に設置された板状部材（固定板）を介在させた状態で設置されるものであってもよい。このとき、屋根傾斜方向（屋根の軒側及び棟側を結んだ方向に相当）、及び、屋根傾斜方向に直交する屋根幅方向（屋根面における水平方向に相当）の取付位置を調整可能な状態で取付けられている。すなわち、支持部の取付位置を調整することで、屋根上設置物と連結される連結部の連結位置を調整することができる。
【０００９】
さらに、瓦本体は支持部と別体として構成され、支持部の上方から被設されるものである。その結果、屋根上設置物の荷重は、瓦本体に直接加わることがなく、連結された支持部及び支持部の下方の屋根構造体等がこれを受け止めることになる。これにより、瓦本体自体は、重量物である屋根上設置物の荷重に抗するための十分な強度を備える必要がなく、例えば、葺き上げられた通常の瓦と同様に陶器製のものを採用することが可能である。一方、支持部及び固定板は、上述したように屋根上設置物の荷重を受けるため、従来の支持瓦と同様に、例えば、アルミニウム等の金属製素材で構築される必要がある。瓦本体及び支持部を必要に応じて締結固定するものであっても構わない。
【００１０】
したがって、本発明の屋根上設置物の支持装置によれば、瓦本体及び支持部が別体として構成され、支持部の屋根傾斜方向及び屋根幅方向の取付位置を調整可能とすることで屋根上設置物の連結位置の微調整を図ることが可能となる。さらに、瓦本体及び支持部がそれぞれ個別に構成され、かつ支持部の上方から瓦本体が被設されるため、瓦本体自体の強度がそれほど要求されることがない。
【００１１】
さらに、本発明の屋根上設置物の支持装置は、上記構成に加え、「前記支持部は、長手方向が前記屋根幅方向に一致する長孔状のボルト取付孔を有する取付板を備える」ものであっても構わない。
【００１２】
したがって、本発明の屋根上設置物の支持装置によれば、支持部の長孔状のボルト取付孔を有する取付板を使用することで支持部の屋根幅方向の取付位置を調整することが可能となり、屋根上設置物の連結位置の微調整が可能となる。
【００１３】
さらに、本発明の支持瓦は、上記構成に加え、「前記支持部は、平板状の支持基板と、前記支持基板から上方に向かって垂設され、前記屋根上設置物と連結する連結部と、前記支持基板の基板周縁に沿って前記屋根傾斜方向の棟側及び前記屋根幅方向の側方の周縁に沿って立設された立壁片と、前記支持基板の前記屋根傾斜方向の軒側片に開口した排水開口部と」を具備するものであっても構わない。
【００１４】
したがって、本発明の支持瓦によれば、瓦本体の表面を伝って挿通孔から支持部に流れ落ちた雨水等は、支持基板の基板面に落ちる。このとき、支持基板の基板周縁に沿って立壁片が設けられているため、基板面上の雨水が屋根構造体や固定板の上に落ちることがない。一方、軒側の一部には排水開口部が設けられているため雨水等が係る排水開口部を通じて通常の瓦の上に流れる。ここで、支持基板の排水開口部は、下側の瓦の上にくるように設置されるものが好適である。
【００１５】
さらに、本発明の屋根上設置物の支持装置は、上記構成に加え、「前記挿通孔は、瓦本体前端から本体中央に向かって切欠かれた切欠挿通孔、または本体中央に貫設された貫設挿通孔のいずれかである」ものであっても構わない。
【００１６】
したがって、本発明の屋根上設置物の支持装置によれば、挿通孔が瓦本体を切欠き、或いは貫通して設けられている。これにより、支持部の連結部と屋根上設置物との連結を阻害することがなく、かつ支持部に対して瓦本体を上方から被設する作業も良好なものとなる。
【００１７】
さらに、本発明の屋根上設置物の支持装置は、上記構成に加え、「ボルト挿通孔を有し、前記支持部の前記取付板の下方に設置されるスペーサ部材」を具備するものであっても構わない。
【００１８】
したがって、本発明の屋根上設置物の支持装置によれば、スペーサ部材が取付板の下方に設置可能となる。ここで、スペーサ部材は、平板状を呈し、一辺から切欠または貫通したボルト挿通孔が形成され、支持部を野地板に直接或いは固定用の板状部材に固定するための締結ボルトを挿通させることができる。これにより、支持部の高さ方向の調整が可能となり、屋根上設置物と連結される連結部の連結位置の高さ（固定板面に対する鉛直方向）を合わせることができる。これにより、屋根傾斜方向、屋根幅方向、及び高さ方向の三軸で取付位置の調整が行える。なお、スペーサ部材は、一枚に限らず、複数枚を積重することで高さの微調整を図ってもよい。
【図面の簡単な説明】
【００１９】
【図１】本実施形態の屋根上設置物の支持装置の構成を示す斜視図である。
【図２】屋根上設置物の支持装置の構成を示す分解斜視図である。
【図３】支持部の構成を示す斜視図である。
【図４】支持部の構成を示す（ａ）正面図、（ｂ）平面図、及び（ｃ）右側面図である。
【図５】屋根上設置物の支持装置の屋根構造体に対する設置の一例を示す模式断面図である。
【図６】屋根上設置物の支持装置の別例構成を示す分解斜視図である。
【発明を実施するための形態】
【００２０】
以下、本発明の一実施形態である支持装置１（以下、単に「支持装置１」と称す）の構成について、図１乃至図５に基づいて主に説明する。ここで、本実施形態の支持装置１は、建築物（図示しない）の屋根構造体３の傾斜した屋根面４に設置されるものであり、屋根面４に葺き上げられた複数の通常の瓦Ｋ（図５参照）の一部を置換して設置され、太陽電池モジュール（屋根上設置物に相当、図示しない）を支持部２を利用して連結し所定の高さに保持した状態で支持するものである。
【００２１】
本実施形態の支持装置１は、傾斜した屋根面４に固定用ビス２５を利用して固定された矩形状の固定板５と、屋根面４の屋根傾斜方向（図１及び図５における矢印Ａ方向参照）及び屋根傾斜方向と直交する屋根幅方向（図１における矢印Ｂ方向参照、図５における紙面手前及び奥行方向）の固定板５に対する取付位置を調整して取付けられる支持部２と、支持部２の一部を挿通可能な瓦本体９と、締結ナット７との締結により支持部２と固定板５を取付位置を調整した状態で留め付ける締結ボルト６とを具備して主に構成されている。
【００２２】
ここで、個々の構成の素材については特に限定されないが支持部２及び固定板５は、屋根構造体３の屋根面４に設置される太陽電池モジュール及びその他付属物の荷重を支えるために十分な強度を有する必要があり、従来の支持瓦において採用されるように、アルミニウム製の素材を用いて主に構成されたものを使用することができる。一方、瓦本体９自体に対しては太陽電池モジュールの荷重が直接加わることがないため、周囲に葺き上げられた通常の瓦Ｋと同様に陶器製で構築したものであってもよい。或いは、従来の支持瓦と同様に、支持部２と合わせてアルミニウム製の素材を用いるものであっても構わない。なお、瓦本体９は、支持部２及び固定板５に対して上方から被設されるのみのものを本実施形態では採用している。しかしながら、必要に応じて瓦本体９及び支持部２を締結固定するものであっても構わない。本実施形態の支持装置１によれば、通常の瓦Ｋと同様に、隣接する瓦との間で葺き上げられ、瓦本体９の自重によって当該位置を主に保持するものであればよい。なお、本実施形態の支持装置１では、陶器製の瓦本体９を採用している。
【００２３】
本実施形態の支持装置１の各構成について詳述すると、固定板５は、矩形状を呈し、屋根幅方向に沿って設けられた摺動溝１１が設けられている。ここで、摺動溝１１は、固定板面５ａに開口した溝口１２の溝幅が締結ボルト６のボルト頭部１３よりも狭く、かつボルト軸１４の軸幅よりも広くなるように設定され、また、溝口１２と連通した固定板５の内部の溝空間１５はボルト頭部１３を収容し、かつ屋根幅方向に沿って締結ボルト６が摺動可能になるように形成されている。さらに、固定板５の固定板側面５ｂには、ボルト頭部１３を溝空間１５に挿入するための挿設口５ｃが開口している。そのため、固定板５の固定板側面５ｂの挿設口５ｃからボルト頭部１３を下に向け、換言すると、ボルト軸１４の先端を上に向けた状態でボルト頭部１３を挿設口５ｃから挿込み、屋根幅方向に摺動させることにより、固定板５に締結ボルト６を取付けることができる。ここで、図１、図２に示すように、挿設口５ｃの断面形状は略凸状を呈している。
【００２４】
ボルト頭部１３に対して溝口１２が狭幅に形成されているため、固定板５に取付けた状態でボルト軸１４の長手方向に引っ張っても狭幅の溝口１２によって当該動きが規制され、固定板５から締結ボルト６が脱落することがない。さらに、固定板５は一枚の平板状で形成されるものではなく、上記摺動溝１１の形成された中央部分に対し軒側及び棟側に延設片２７ａ，２７ｂが設けられ、かつ延設片２７ａ，２７ｂの辺端から上方向に曲折された垂片２８が設けられている。なお、前述の固定用ビス２５は、延設片２７ａ，２７ｂをそれぞれ貫通して屋根構造体３に固定されている。
【００２５】
一方、支持部２は、太陽電池モジュールの一部（例えば、横桟或いは横フレーム等）を双方向から挟込んで連結するために、互いに相対する所定間隔だけ離間した一対の連結片１６ａ，１６ｂを有する連結部１７と、連結部１７の連結片１６ａ等を支持基板面１８ａから垂設するように支持する平板状の支持基板１８と、支持基板１８の基板底面１８ｂから鉛直下方向に延設された一対の支持脚１９と、支持脚１９のそれぞれの脚端から直交方向に延設され固定板５の固定板面５ａと当接可能な一対の取付板２０とを具備して構成されている。すなわち、支持部２が連結部１７、支持基板１８、及び支持脚１９と、取付板２０とを具備することにより、固定板面５ａから所定の高さに保持した状態で太陽電池モジュールを支持することができる。
【００２６】
平板状に形成された取付板２０には、中央付近に長孔状のボルト取付孔２１が貫設されている。係るボルト取付孔２１は上述の締結ボルト６のボルト軸１４の先端を挿設可能な幅に形成されている。したがって、上記構成の固定板５及び支持部２を採用することにより、固定板５に対する支持部２の取付位置を屋根傾斜方向及びこれに直交する屋根幅方向に沿ってそれぞれ自在に調整することができる。
【００２７】
具体的に説明すると、固定板５の摺動溝１１に摺動可能に挿設された締結ボルト６を所定の取付位置まで移動させる。そして、屋根幅方向の取付位置に合わせられた締結ボルト６のボルト軸１４に支持部２のボルト取付孔２１を挿設する。このとき、ボルト取付孔２１は屋根傾斜方向に沿って長孔状に形成されているため、屋根傾斜方向に沿って支持部２を移動させることができる。したがって、摺動溝１１に対する締結ボルト６の摺動、及び、締結ボルト６及び支持部２（ボルト取付孔２１に対する）の位置調整により、固定板５に対する支持部２の取付位置を自由に調整することができる。その結果、支持部２の連結部１７の位置の微調整を図ることができ、屋根面４上に設置される太陽電池モジュールの連結箇所に支持部２の連結部１７を速やかに合わせることができる。
【００２８】
さらに、支持部２の支持基板１８は、略矩形状を呈する平板状の部材から構成されており、上述した連結部１７及び支持脚１９等の構成に加え、屋根傾斜方向の棟側（図４（ｂ）における紙面上側に相当）及び屋根幅方向の側方（図４（ｂ）における紙面左右方向に相当）の周縁に沿って所定高さに立設された立壁片２３と、支持基板１８の屋根傾斜方向の軒側（図４（ｂ）における紙面下側に相当）に開口した排水開口部２４とをさらに具備している。これにより、支持基板面１８ａ上に落ちた雨水は、立壁片２３によって棟側及び左右方向への落下が規制され、排水開口部２４から落ちることになる。また支持部２は、排水開口部２４から左右に延びる基板前面片１８ｃを備え、これにより、瓦Ｋの上に落ちた雨水が棟側に逆流することを防ぐことができる。
【００２９】
一方、陶器製の瓦本体９は、瓦本体前端９ａから瓦本体９の中央方向にかけて（軒側から棟側に向かって）矩形状に切欠かれた切欠挿通孔１０が設けられている。棟側端辺及び一方の側端辺には、隣接する陶器製の瓦Ｋとの重ね合わせのために、従来の支持瓦における瓦本体と同様に上辺縁に沿って上方に突設された瓦上辺部２９及び一方の側端辺に設けられた瓦側辺部３０を有している。また、切欠挿通孔１０の孔縁に沿って垂下した垂下壁片１０ａが設けられている。ここで、切欠挿通孔１０のサイズに対し、上述した立壁片２３を有する支持基板１８は大きく形成されている。そのため、瓦本体９の瓦表面９ｂから切欠挿通孔１０を伝って下方に落ちた雨水等は、支持基板１８の支持基板面１８ａで受け止められ、かつ立壁片２３によって棟側方向及び側方向への移動が規制されるため、屋根構造体３の屋根面４や固定板５自体が雨水で濡れることがない。さらに、切欠挿通孔１０は、支持基板面１８ａから垂設された連結部１７を挿通可能で、かつ固定板５に対する屋根傾斜方向及び屋根幅方向に対する取付位置を調整可能なようにある程度の余裕をもって形成されている（図１等参照）。さらに、瓦本体９の瓦本体前端９ａは、重なり合う下側の瓦Ｋに向かって下方に曲折されている。
【００３０】
さらに、本実施形態の支持装置１は、上記構成に加え、支持部２及び固定板５の間に介設されるスペーサ部材３１を具備している（図２参照）。係るスペーサ部材３１は平板矩形状を呈し、一辺から中央に向かって切欠かれたボルト挿通孔３２を有している。これにより、固定板５に摺動自在に取付けられた締結ボルト６のボルト軸１４をボルト挿通孔３２に挿入した状態で固定板５に支持部２を取付けることができる。その結果、支持部２の固定板５に対する高さを変化させることができ、結果として屋根上設置物の連結位置の高さを調整することができる。
【００３１】
次に、上記構成を採用した本実施形態の支持装置１を利用した太陽電池モジュールの設置の具体例について説明する。始めに、支持装置１の設置位置に相当する通常の瓦Ｋ及びその左右の瓦Ｋを取外す。そして、屋根構造体３の屋根面４の所定位置に固定板５を固定用ビス２５を利用して取付ける（図２等参照）。これにより、固定板５が屋根面４に強固に固定される。
【００３２】
このとき、固定板５に設けられた摺動溝１１は屋根傾斜方向に直交する屋根幅方向に一致するようにセットされる。その後、固定板５の固定板側面５ｂの挿設口５ｃからボルト軸１４の先端を上方に向けた状態でボルト頭部１３を挿入し、屋根幅方向に摺動させる。ここで、取付対象の支持部２は二箇所のボルト取付孔２１があるため、挿入し摺動させる締結ボルト６もこれに合わせて二本必要となる。そして、締結ボルト６の支持部２のおおよその取付位置まで移動させる。前述したように、係る状態で締結ボルト６はボルト頭部１３及び溝口１２の広狭関係によりボルト軸１４の軸方向に力を加えても固定板５から締結ボルト６が脱落することがない。
【００３３】
その後、固定板５から突出したボルト軸１４に支持部２のボルト取付孔２１を挿設し、取付板２０を固定板面５ａに当接させる。このとき、長孔状のボルト取付孔２１により支持部２の屋根傾斜方向の位置調整を行う。そして、支持部２の屋根幅方向及び屋根傾斜方向の位置調整が完了した後、ボルト軸１４の先端にワッシャ２６ａ，２６ｂを介設した状態で締結ナット７を取付け螺合させる。これにより、ボルト頭部１３及び締結ナット７の間に、固定板５の溝口１２、取付板２０、及びワッシャ２６ａ，２６ｂが挟込まれた状態で締結される。その結果、固定板５に支持部２が固定される。さらに、必要に応じてスペーサ部材３１を支持部２及び固定板５の間に一枚若しくは複数枚を挿設する。このとき、固定板５から突出したボルト軸１４とスペーサ部材３１のボルト挿通孔３２を合わせることにより、スペーサ部材３１を位置がずれることなく介在させることができる。また、締結ナット７を緩めた状態にして取付位置の微調整を行うものであってもよい。その結果、支持部２の連結部１７の位置が屋根傾斜方向、屋根幅方向、及び高さ方向の三方向において正確に調整することができる。
【００３４】
その後、固定板５に支持部２が取付けられた状態で、当該支持部２の上方から瓦本体９を被設する。ここで、瓦本体９には切欠挿通孔１０が設けられているため、上方に突出した支持部２（連結部１７）の影響を受けることなく、上記被設作業を行うことができる。さらに、支持部２の取付作業のために取外した左右の瓦Ｋを元の状態に戻す作業も同時に行う。これにより、図５等に示すように、支持装置１の瓦本体９の棟側端の上方には、通常の瓦Ｋの瓦前端が所定の隙間を保って重ね合わされ、一方、支持装置１の瓦本体９の軒側（瓦本体前端９ａに相当）の下方には、通常の瓦Ｋの瓦後端が位置している。このとき、支持部２の支持基板１８の前端部、すなわち、排水開口部２４は通常の瓦Ｋの瓦後端よりも前側（軒側）に突出している。これにより、排水開口部２４を伝って流れる雨水は、瓦Ｋの瓦表面に沿って流れることができる。上記の支持装置１の置換処理をを、屋根面４の複数箇所に対して実施することにより、屋根面４の上に太陽電池モジュールを連結し支持するための複数（例えば、８箇所等）の位置に支持装置１が設置される。
【００３５】
その後、適正位置にセットされた支持部２の連結部１７と、太陽電池モジュールの連結箇所とを一致させることにより、太陽電池モジュールを屋根面から所定の高さに保持した状態で連結し支持することができる。なお、本実施形態の支持装置１の場合、支持部２の上方から被設された瓦本体９は、瓦本体９の自重によって通常の瓦Ｋと同様に屋根面４に葺き上げられているのみである。なお、必要に応じて瓦本体９を屋根面４或いは固定板５、または支持部２等に固定するものであっても構わない。
【００３６】
これにより、支持装置１を利用した太陽電池モジュールの施工が完了する。すなわち、本実施形態の支持装置１によれば、従来は一体的に構成された瓦本体９及び支持部２を別体構成としてすることで、瓦本体９が太陽電池モジュール等の重量物の荷重を直接受けることがない。さらに、固定板５に対する支持部２の取付位置の自由度を上げることができ、連結部１７の位置調整を容易に行うことができる。また、支持基板１８に設けられた立壁片２３及び排水開口部２４を使用することで、雨水が屋根構造体３の屋根面４に直接触れることがない。これにより、屋根面４を雨水から保護することができる。
【００３７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３８】
例えば、図６に示すような、支持部４２を有する支持装置４１を採用するものであっても構わない。ここで、図６の本発明の別例構成を示す支持装置４１の分解斜視図において、説明を簡略化するため、本実施形態の支持装置１と機能的構成に差異のないものについては同一符号を付し、詳細な説明は省略するものとする。本発明の別例構成の支持装置４１は、図６に示すように、平板状の固定板４３に取付位置を調整して取付けられる支持部４２と、支持部４２の一部を挿通可能な瓦本体９と、支持部４２と固定板４３とを取付位置を調整した状態で留め付ける固定用ビス２５を具備して主に構成されている。ここで、支持部４２に設けられた取付板２０には、中央付近に長孔状のボルト取付孔４４が貫設されており、固定板４３に対する屋根幅方向の支持部４２の取付位置の微調整を図ることができる。なお、固定板４３に対する屋根傾斜方向の取付位置も併せて行うことができる。これにより、本実施形態の支持装置１において示したものと同様の取付位置の調整を行うことができる。
【００３９】
さらに、本実施形態の支持部２において、切欠挿通孔１０を用いるものを示したが、これに限定されるものではなく、支持部２の連結部１７を利用した太陽電池モジュール（屋根上設置物）との連結を阻害しないものであれば、挿通孔の形状は特に限定されるものではない。例えば、瓦本体の中央部分を連結部１７の形状に沿って刳り抜いた貫通挿通孔として形成するものであっても構わない。
【符号の説明】
【００４０】
１，４１  支持装置（屋根上設置物の支持装置）
２，４２  支持部
３  屋根構造体
４  屋根面
５，４３  固定板
５ａ  固定板面
６  締結ボルト
７  締結ナット
８  締結固定部
９  瓦本体
９ａ  瓦本体前端
１０  切欠挿通孔
１１  摺動溝
１２  溝口
１５  溝空間
１６ａ，１６ｂ  連結片
１７  連結部
１８  支持基板
１８ａ  支持基板面
１９  支持脚
２０  取付板
２１，４４  ボルト取付孔
２３  立壁片
２４  排水開口部
３１  スペーサ部材
３２  ボルト挿通孔
Ｋ  瓦
【図１】
2013147896.tif 000003
【図２】
2013147896.tif 000004
【図３】
2013147896.tif 000005
【図４】
2013147896.tif 000006
【図５】
2013147896.tif 000007
【図６】
2013147896.tif 000008